(57)【要約】【課題】  モータなどの動力装置を使用することなく、遊技球の振分け態様を多様化することが可能な遊技球誘導装置を提供すること。【解決手段】  遊技領域に設けられ、前記遊技領域の左右方向に沿って延びる第１の遊技球通路を備え、前記遊技領域から前記遊技球通路へ導かれた遊技球を複数の経路に振り分けながら所定の遊技領域に誘導する遊技球誘導装置であって、前記第１の遊技球通路は、前記遊技球を遊技球通路面から一旦離隔させて前記遊技球通路の上方に移動させたのち、前記遊技球通路に再び落下させる落下手段を含むもの。【選択図】      図２
2005152204.tif 000002
【特許請求の範囲】
【請求項１】
遊技領域に設けられ、前記遊技領域の左右方向に沿って延びる第１の遊技球通路を備え、前記遊技領域から前記遊技球通路へ導かれた遊技球を複数の経路に振り分けながら所定の遊技領域に誘導する遊技球誘導装置であって、
前記第１の遊技球通路は、前記遊技球を遊技球通路面から一旦離隔させて前記遊技球通路の上方に移動させたのち、前記遊技球通路に再び落下させる落下手段を含むことを特徴とする遊技球誘導装置。
【請求項２】
前記落下手段が、前記第１の遊技球通路上に形成され、上方へ伸長して湾曲するカール部である、請求項１記載の装置。
【請求項３】
前記落下手段は上端部を含み、かつ、
前記上端部より下方でかつ前記遊技球通路の上方に支持され、前記上端部から落下した遊技球を複数の経路に振り分ける遊技球受部材を含む、請求項１又は２記載の装置。
【請求項４】
前記第１の遊技球通路の略中央に、前記遊技球の左右方向の位置を確定する第１の遊技球案内部が形成された、請求項１〜３のいずれか１項記載の装置。
【請求項５】
前記第１の遊技球通路の一端部に、前記遊技領域と前記遊技通路とを接続するワープ通路の遊技球出口が配置された、請求項１〜４のいずれか１項記載の装置。
【請求項６】
前記第１の遊技球通路の手前に、かつ、前記第１の遊技球通路と略平行に配置された第２の遊技球通路をさらに含む、請求項１〜５のいずれか１項記載の装置。
【請求項７】
前記第２の遊技球通路が、前記遊技領域の手前方向に伸長し、転動する遊技球を手前から奥に向けて移動可能に形成された接続部を含む、請求項６記載の装置。
【請求項８】
前記第２の遊技球通路は、前記遊技球受部材の下方において、前記第１の遊技球通路と連通し前記第１の遊技球通路の遊技球を前側に誘導する連通開口部を含む、請求項６又は７記載の装置。
【請求項９】
前記第２の遊技球通路の前側に、左右両端が中央部より高く弓状に湾曲する揺動通路を備える、請求項６〜８のいずれか１項記載の装置。
【請求項１０】
前記第２の遊技球通路の略中央に、前記第１の遊技球案内部より低く形成され、前記遊技球を前側へ誘導する第２の遊技球案内部が形成された、請求項６〜９のいずれか１項記載の装置。
【請求項１１】
前記第１及び第２の遊技球案内部が、前記遊技領域に形成された始動入賞口の略直上に前記遊技球を誘導可能な位置に配設される、請求項１０記載の装置。
【請求項１２】
前記第１及び第２の遊技球通路が、前記遊技領域に配置された画像表示装置の前面下方に配設されている、請求項６〜１１いずれか１項記載の装置。
【発明の詳細な説明】
【技術分野】
【０００１】
本発明は、パチンコ機、アレンジボール機などの弾球遊技機に配設される遊技球誘導装置に関する。
【背景技術】
【０００２】
近年、パチンコ機などの弾球遊技機においては、画像表示装置の下方に、遊技球を始動入賞口に誘導するための遊技球誘導装置を備えたものが知られている。例えば、遊技領域の画像表示装置の下方のステージ部に遊技球を左右方向に揺動させる遊技球通路を配置することにより、遊技球を左右方向に揺動させながら、始動入賞口の直上に誘導する経路と、始動入賞口の直上から左右に外れた方向に誘導する経路との２通りの経路に振り分けられるものがある。
【０００３】
このような揺動通路により遊技球の振分けを行う遊技球誘導装置は、振分けられる遊技球の動きが単純であるため、遊技者の興趣を持続させることができないという問題があった。
【０００４】
かかる問題を解消するために、例えば、モータで駆動される複数の回転体を備えた遊技球誘導装置が提案されている（特許文献１参照）。すなわち、複数の回転体のうちのいくつかを磁石付回転体として形成し、この磁力により遊技球を回転体周面に付着させて回転移動させ、遊技球の振分け経路を多様化したものである。
【０００５】
しかしながら、上記のような遊技球誘導装置は、回転体を駆動するための駆動装置、例えばモータなどを遊技機の遊技盤裏面の狭猥なスペースに収納する必要があり、空間的制約上レイアウトの困難性などが問題となっている。また、遊技機の消費電力の増大などランニングコスト上の問題もある。
【０００６】
【特許文献１】特開平２００３−１５９４０８号公報
【発明の開示】
【発明が解決しようとする課題】
【０００７】
本発明の目的は、上記の課題を解消し、モータなどの動力装置を使用することなく、遊技球の振分け経路を多様化することが可能な遊技球誘導装置を提供することを目的とする。
【課題を解決するための手段】
【０００８】
本発明者は、上記目的を達成すべく、種々検討を重ねる中で、遊技球誘導装置を構成する遊技球通路の一部に、遊技球を通路の上から落下させる落下手段を設け、それにより遊技球の振分け態様を複雑にして、遊技者の興趣を持続しうることを見出した。
【０００９】
すなわち、本発明によれば、遊技領域に設けられ、前記遊技領域の左右方向に沿って延びる第１の遊技球通路を備え、前記遊技領域から前記遊技球通路へ導かれた遊技球を複数の経路に振り分けながら所定の遊技領域に誘導する遊技球誘導装置であって、前記第１の遊技球通路は、前記遊技球を遊技球通路面から一旦離隔させて前記遊技球通路の上方に移動させたのち、前記遊技球通路に再び落下させる落下手段を含むものが提供される。
【００１０】
「遊技領域」とは、弾球遊技機、例えばパチンコ機やアレンジボール機において、遊技球を媒体とした遊技が実行される遊技盤に設けられた遊技球を案内するための円弧状のレールの内側の領域をいう。
【００１１】
「落下手段」とは、第１の遊技球通路に沿って遊技球を上方へ誘導し、遊技球を一旦遊技球通路から離隔させて再度遊技球通路に落下させるための手段であり、この手段により、遊技球を予測できない複数の経路に振り分けることが可能であり、遊技者の興趣を持続させることが可能となる。この落下手段は、具体的には、前記遊技球通路上に形成され、上方へ伸長し湾曲するカール部であることが好ましい。
【００１２】
さらに、この落下手段は上端部を含み、かつ、この上端部より下方でかつ前記第１の遊技球通路の上方に支持され、この上端部から落下した遊技球を複数の経路に振り分ける遊技球受部材が配設されることが好ましい。
【００１３】
第１の遊技球通路の一端部には、遊技領域とこの遊技通路とを接続するワープ通路の遊技球出口が配置されていることができ、その結果、ワープ通路から導かれた遊技球を様々な態様に振り分けることが可能となる。
【００１４】
遊技球通路は、原則的には第１の遊技球通路を配置してあれば足りるが、さらに、１本又は２本の遊技通路を設けてもよい。具体的には、第１の遊技球通路と、この第１の遊技球通路の手前に第１の遊技球通路と略平行に配置された第２の遊技球通路を配置することができる。
【００１５】
上記のように遊技球通路を２本配設した場合は、第２の遊技球通路に、遊技球を第１の遊技球通路に移動させるための手段を形成してもよい。具体的には、遊技領域の手前方向に伸長し、遊技球を手前から奥、すなわち、第２の遊技球通路から第１の遊技球通路に移動させる接続部を設けることができる。
【００１６】
第２の遊技球通路には、上記遊技球受部材の下方において、第１の遊技球通路と連通し、この第１の遊技球通路の遊技球を前側に誘導する連通開口部を含むこともできる。
【００１７】
第２の遊技球通路の前側に、さらに、遊技球通路を設けてもよく、具体的には、左右両端が中央部より高く弓状に湾曲する揺動通路を配置することができる。これにより、第２の遊技球通路に導入された遊技球の転動経路を増加することができる。
【００１８】
第１の遊技球通路の略中央に、前記遊技球の左右方向の位置を確定する第１の遊技球案内部が形成され、第２の遊技球通路の略中央に、第１の遊技球案内部より低く形成され、遊技球を前側へ誘導する第２の遊技球案内部が形成されることが好ましい。これらの遊技球案内部により、各遊技球通路における遊技球の左右方向の位置が確定され、遊技球が略直線状に前側、すなわち、例えば始動入賞口の直上に誘導されることが可能となる。
【００１９】
さらには、上記各遊技球通路を、前記遊技領域に配置された画像表示装置の前面下方に配設することもできる。
【発明を実施するための最良の形態】
【００２０】
以下、図１〜６に基づいて、本発明の遊技球誘導装置の実施の形態について詳述する。
【００２１】
図１は、本発明の遊技球誘導装置を備えた、弾球遊技機、例えばパチンコ機の概観を示す。図において、パチンコ機１は、外枠１１と、この外枠１１に開閉自在に軸支された前枠１２とを備え、前枠１２には、ガラス扉１３、遊技球（図示せず）を受けるための上皿１４及び下皿１５、打球ハンドル１６、遊技盤１７を収容する収容枠（図示せず）等の各種の部材が収納されている。
【００２２】
ガラス扉１３は、前枠１２の左側部に設けられている蝶板（図示せず）により片持ち状に支持され、遊技機１の前側で開閉自在となっている。ガラス扉１３には開口部１３ａが形成され、この開口部１３ａに遊技盤１７の遊技領域１８を視認可能にするガラス１９が嵌め込まれている。
【００２３】
遊技領域１８は、遊技盤１７上に配置された外レール２０により区画されており、この遊技領域１８の略中央部には、図柄の画像等種々の画像を表示する画像表示装置２１が配設されている。この画像表示装置２１の下方には、遊技球を複数の経路に振り分けるための遊技球誘導装置３０が配設されている。また、画像表示装置２１の図中左側には、遊技領域１８を落下する遊技球を遊技球誘導装置３０に直接導くためのワープ通路４０が設けられている。
【００２４】
さらに、遊技領域１８には、画像表示装置２１の図柄の変動開始の条件を定める始動入賞口２３、遊技が大当たりとなったときに開閉する大入賞口２４、普通図柄変動表示口３１、普通図柄表示部３２、遊技球の落下に影響を及ぼす風車２６、多数の遊技釘（図示せず）、各種の入賞口２３〜２５、及び普通図柄変動表示口３１のいずれにも入らなかった遊技球が流入するアウト口２７などが設けられている。
【００２５】
上述した普通図柄変動表示口３１を遊技球が通過すると、普通図柄表示部３２において普通図柄遊技が開始される。この普通図柄遊技の遊技結果が当りとなったとき（例えば、普通図柄表示部３２の２つのランプが点滅後にいずれか決められた方のランプが点灯したときなど）には、始動入賞口２３に遊技球が入賞されやすくなる。
【００２６】
遊技者が打球ハンドル１６を回動操作すると、上皿から打球発射部（図示せず）へ遊技球が１個ずつ供給され、打球ハンドル１６の回動操作に応じた強度で、打球発射装置（図示せず）から遊技領域１８に発射される。
【００２７】
遊技領域１８に発射された打球は、上述の風車２６や遊技釘との接触を繰り返し、転動方向を変えながら遊技領域１８を落下し、上記各種の入賞口２３〜２５やアウト口２７に流入する。打球が、いずれかの入賞口に入賞したときには、所定数の遊技球が賞球として上皿１４又は下皿１５に払い出される。
【００２８】
始動入賞口２３に打球が入賞したときには、画像表示装置２１に表示された図柄が変動を開始し、所定の動画像や図柄の変動態様が所定時間だけ表示された後、図柄の変動が停止する。図柄の変動が停止したときに、画像表示装置２１に表示された図柄の停止態様が特定のものとなった場合、例えば、図柄が示す数値が１〜９のいわゆる「ぞろ目」となった場合には、遊技は大当たりとなる。遊技が大当たりとなったときには、画像表示装置２１において所定のデモ画像が表示された後、上述した大入賞口２４が開放状態となり、打球が大入賞口２４に流入可能となる。
【００２９】
この大入賞口２４の開放状態は、大入賞口２４に打球が所定数入賞するまで、例えば１０個入賞するまで、又は開放状態となってから所定時間経過するまで、例えば３０秒経過するまで継続する。その後、大入賞口２４は閉鎖状態となる。
【００３０】
次いで、本発明の遊技球誘導装置について説明する。図２において、遊技球誘導装置３０は、例えば、画像表示装置（図示せず）の周囲に取り付けられる飾り部材５０の一部として一体成型された装置部材として構成される。すなわち、飾り部材５０は、上部から右側下部にかけての前飾り部５１と、左側部に形成されたワープ通路４０と、下部に形成された遊技球誘導装置３０とからなり、略中央部には、画像表示装置を視認可能にするための開口部５０ａが形成されている。
【００３１】
前飾り部５１の上面５１ａは例えば曲面となっており、この曲面に遊技盤を流下する遊技球が接触すると、その接触位置及び接触角度に応じて、遊技球の落下の方向に変化をもたらすことができる。
【００３２】
図２及び図３に示すように、遊技球誘導装置３０は、左右方向に延びる、例えば３本の遊技球通路を備えており、具体的には、遊技者から見て最も奥に第１の遊技通路３１０、その手前に第２の遊技球通路３２０とが設けられ、さらに第２の遊技球通路３２０の手前に遊技球揺動通路３３０が配設されている。
【００３３】
第１の遊技球通路３１０は、飾り部材５０の開口５０ａの下側壁部５２に密着し、左右両端部３１１ａ、３１１ｂが中央部より高くなるように形成される。つまり左端部３１１ａから中央部にかけて緩やかに湾曲した弓状をなし、中央部より僅かに左寄りに落下手段３１２が設けられている。
【００３４】
落下手段は、遊技球を第１の遊技球通路３１０の表面から一旦離隔させたのち、この遊技球通路３１０の上方からこの遊技球通路３１０に落下させるためのもので、具体的には、第１の遊技球通路３１０と連続して形成され、上方へ向って伸長して、例えば略半円形状に湾曲するカール部３１２とすることが好適である。このカール部３１２の手前縁部には、遊技球をカール部先端部３１２ａまで確実に導くためのガイド部材３１３を配設することが好ましい。
【００３５】
カール部３１２の上端部より下方で、かつ第１の遊技球通路３１０の上方に位置して、このカール部３１２の上端部３１２ａから落下した遊技球２を受ける遊技球受部材３１４が設けられている。この遊技球受部材３１４は、例えば、飾り部材５０の下側壁部５２から突出して固着形成されている。
【００３６】
カール部３１２の右側で第１の遊技球通路３１０の略中央には遊技球の直径より僅かに大きい幅で第１の遊技球案内部３１５が形成されている。この第１の遊技球案内部３１５は溝又は凹部として形成されることが好ましい。後述するように、第１の遊技球通路３１０の右端３１１ｂから転動してきた遊技球２がこの案内部３１５に到達し、その中に落ち込むと、遊技球２の第１の遊技球通路上での左右方向の位置が確定され、前方へ直線的に誘導され、始動入賞口２３に入る確率が高くなる。
【００３７】
第１の遊技球通路３１０は第１の遊技球案内部３１５の右方向へ略水平に延び、図３に示すように、その右端３１１ｂで段差部３１６を有する短い湾曲面３１７が形成されている。
【００３８】
第２の遊技球通路３２０は、上記第１の遊技球通路３１０の前方にこれと略平行に隣接して配置される。第２の遊技球通路３２０は左端から上記遊技球受部材３１４の上面と略面一となる高さまで緩やかに下降する湾曲面３２１と、その後中央部の上記第１の遊技球案内部３１５より僅かに低い位置までやや急角度で下降する湾曲面３２２とを有する。
【００３９】
第２の遊技球通路３２０の略中央部には、上記第１の遊技球通路３１０の中央部に形成された第１の遊技球案内部３１５と連通接続された第２の遊技球案内部（例えば凹部）３２３が形成されている。第２の遊技球案内部３２３の右側は緩やかに上昇する弓状湾曲面３２４となる。弓状湾曲面３２４の右端は、第１の遊技球通路３１０の右端の短い湾曲面３１７と面一をなし、この面一をなす領域が第２の遊技球通路３２０から第１の遊技球通路３１０へ遊技球を移動させるための接続部となる。
【００４０】
第２の遊技球通路３２０の湾曲面３２１の下部には連通開口部３２５が形成されている。連通開口部３２５の下面は第１の遊技球通路３１０より僅かに低くなっており、この下面に遊技球案内部（例えば凹部）３２６が形成されている。第１の遊技球通路３１０のカール部３１２から第１の遊技球通路３１０に落下した遊技球２はこの連通開口部３２５を通過することにより、それより前側の通路すなわち遊技球揺動通路３３０へ導かれる。
【００４１】
遊技球揺動通路３３０は、第２の遊技球通路３２０の前側に、これと略平行に隣接配置され、左右の端部が中央より高い弓形状の湾曲面とされている。遊技球揺動通路３３０の略中央には、第２の遊技球案内部３２３より僅かに低い第３の遊技球案内部（例えば凹部）３３１が形成されている。
【００４２】
上記の構成の遊技球誘導装置３０においては、３本の遊技球通路３１０，３２０及び３３０の各々の間の所定の箇所に、仕切り部材やガイド部材を設けることが好ましい。具体的には、第１の遊技球通路３１０と第２の遊技球通路３２０との間にガイド部材３０１，３０２が設けられ、第２の遊技球通路３２０と遊技球揺動通路３３０との間にはガイド部材３０３が設けられる。また、第２の遊技球通路３２０の連通開口部３２５の上部にガイド部材３０４が設けられている。そして、遊技球揺動通路３３０の第３の遊技球案内部３３１の両側の手前側縁部に沿ってガイド部材３０５，３０６がそれぞれ設けられている。
【００４３】
ワープ通路４０は、飾り部材５０の左側に配置され、上端部に開口する遊技球入口４０１と、遊技球入口４０１から第２の遊技球通路３２０の左側上方まで延びる水平通路４０２と、第２の遊技球通路３２０の左端まで下降する落下通路４０３と、落下通路４０３の下端で第１の遊技球通路３１０の左端３１１ａ上部に向って開口する遊技球出口４０４とを含む。
【００４４】
図２に示すように、ワープ通路４０の遊技球入口４０１に飛入した遊技球２は、略直角に向きを変えて水平通路４０２を転動した後、落下通路４０３を落下し、僅かに水平方向に移動して遊技球出口４０４から第１の遊技球通路３１０の左端３１１に導かれる。このように、ワープ通路４０において、遊技球２を水平方向に移動させることにより、遊技球入口４０１に飛入した際の遊技球２の速度を適度に減速させることが可能となる。
【００４５】
なお、このワープ通路４０を例えば透明な樹脂材料などで形成すれば、その内部を通過する遊技球２の動きを遊技者が視認することができ、その結果遊技の興趣が向上する。
【００４６】
続いて、上記の遊技球誘導装置における遊技球の振分け態様について詳述する。
【００４７】
＜第１の遊技球経路＞
ワープ通路４０の遊技球入口４０１に飛入した遊技球２は、上述したように、まず水平通路４０２を転動し、続いて、落下通路４０３を流下し、落下通路４０３の下端部に衝突して僅かに水平移動して、その速度を適度に減速しながら遊技球出口４０４を経て第１の遊技球通路３１０の左端３１１ａへ導かれる。
【００４８】
遊技球２は、図４に矢線Ａで示すように、第１の遊技球通路３１０を中央部へ向って転動し、遊技球受部材３１４の下方を通過したのち、矢線Ｂで示すようにカール部３１２に沿って上昇し、矢線Ｂ１、Ｂ２で示すように、カール部３１２の先端部３１２ａから一旦遊技球通路を離れ、遊技球受部材３１４の上面に落下する。その後、遊技球受部材の右端部又は左端部から、矢線Ｃ又は矢線Ｄで示すように再び第１の遊技球通路３１０に落下する。第１の遊技球通路３１０に落下した遊技球２は、第２の遊技球通路３２０の連通開口部３２５を通過して矢線Ｅで示すように遊技球揺動通路３３０に導かれる。
【００４９】
そして、遊技球２は、遊技球揺動通路３３０を矢線Ｆで示すように右方向に転動し、失速した時点で再び左方向に転動する揺動動作を数回繰り返した後、遊技球揺動通路３０の中央の第３の遊技球案内部３３１から矢線Ｇで示すように手前に落下する。この経路で落下する遊技球２は、揺動動作を繰り返した後に落下するため、左右方向の位置は確定されず、直下の始動入賞口２３に落下する可能性はそれほど高くない。
【００５０】
＜第２の遊技球経路＞
遊技球誘導装置３１４の右端から落下した遊技球２の中には、連通開口部３２５を通過せず、図４に示すように、カール部３１２の立ち上がり部３１２ｂから矢線Ｈで示すように第２の遊技球通路３２０に移動するものもある。この場合、第２の遊技球通路３２０の第２の遊技球案内部３２３から遊技球揺動通路３３０の第３の遊技球案内部３３１を左右方向に揺動しながら前方へ移動し、落下する。このような経路を取る場合も、遊技球２の左右方向の位置は確定されないので、始動入賞口２３に落下する可能性は低い。
【００５１】
＜第３の遊技球経路＞
図５に示すように、遊技球２はカール部３１２から遊技球受部材３１４に落下した後、遊技球受部材３１４上面と略面一をなす第２の遊技球通路３２０に移動する場合もある。その場合、図５に矢線Ｊで示すように遊技球２は、第２の遊技球通路３２０の急傾斜の湾曲面３２２を下降し、下降により加速された速度をもって、矢線Ｋで示すように第２の遊技球通路３２０の右端部まで転動する。その後、図３に矢線Ｌで示すように、上述した接続部すなわち第２の遊技球通路３２０の右端部と略面一をなすように形成された第１の遊技球通路３１０の湾曲面３１７に移動し、図６に矢線Ｍで示すように、この湾曲面３１７から第１の遊技球通路３１０を中央部まで転動し、中央部に形成された第１の遊技球案内部３１５に到達する。
【００５２】
図６において、第１の遊技球案内部３１５の中では、遊技球２の左右方向の位置は略確定されるので、第１の遊技球案内部３１５から第２の遊技球案内部３２３、及び第３の遊技球案内部３３１を経て、遊技球２は略直線的に前方へ転動する。したがって、矢線Ｎで示すように遊技球揺動通路３３０から前方へ落下するとき、直下の始動入賞口２３へ落下する確率は最も高くなる。
【００５３】
この経路は、第２の遊技球通路３２０を右端部まで転動した遊技球２が、その奥に配置される第１の遊技球通路３１０に戻ることになるため、遊技者の期待感を高めることが可能となる。このような経路は、通常の遊技球通路では、モータや磁石などを使用しないと実現が困難であるが、本発明においては、落下の方向と遊技球通路の形状のみによって実現することが可能となる。
【００５４】
＜第４の遊技球経路＞
ワープ通路４０から第１の遊技球通路３１０に導かれた遊技球２の速度によっては、上記のカール部３１２に沿って円弧を描いて転動することができず、図４に矢線Ｅで示すように、第１の遊技球通路３１０から第２の遊技球通路３２０の連通開口部３２５を通過して、遊技球揺動通路３３０に導かれる場合もある。その場合は、上記と同様、遊技球揺動通路３３０を揺動しながら前方へ落下するという経路を取る。
【００５５】
＜第５の遊技球経路＞
遊技球２がカール部３１２の上端部３１２ａから遊技球受部材３１４に落下した後、中央部に向って落下せず、図４に矢線Ｐで示すように、第２の遊技球通路３２０の左端に向って上昇し、その後、前側の遊技球揺動通路３３０に移動して、上述したように揺動動作を繰り返したのち落下するという経路もある。
【００５６】
＜第６の遊技球経路＞
遊技球２がワープ通路４０から第１の遊技球通路３１０に導かれた時点の速度によっては、第２の遊技球通路３２０の右端部で第１の遊技球通路３１０へ戻らず、そのまま第２の遊技球通路３２０を中央付近まで転動し、第２の遊技球案内部３２３から遊技球揺動通路３３０を経て第３の遊技球案内部３３１から前方に落下する可能性もある。この場合も、遊技球２の左右方向の位置は確定されないため、直下の始動入賞口２３へ落下する可能性はあまり高くない。
【００５７】
このように、ワープ通路４０から第１の遊技球通路３１０に導かれる遊技球２は、打球速度や、カール部３１２及び遊技球受部材３１４からの落下の方向に応じ、上記のように複数の経路すなわち上述した少なくとも６通りの経路に振り分けられる。さらに、落下手段としてのカール部３１２を設けたことにより、遊技球２の落下形態に応じた予測不可能な動きを実現することができ、遊技者の興趣が高まる。したがって、ワープ通路４０に飛入した遊技球２が、遊技球揺動通路３３０の第３の遊技球案内部３３１から前方へ落下するまでの間、遊技球２が複雑な経路を経て転動する様子を遊技者が期待感をもって楽しむことができる。
【００５８】
なお、上記の実施形態においては、遊技球通路を３本配設した場合について述べたが、通路の本数はこれに限定されるものではなく、適宜選択することが可能である。また、この遊技球誘導装置は、必ずしも表示装置の下方で始動入賞口の直上に配設されることはなく、所望の位置に配設することが可能である。さらに、必ずしもワープ通路に連通させる必要もない。
【００５９】
以上、詳細に説明したように、本発明の遊技球誘導装置によれば、モータあるいは磁石などの配線を必要とする部材を使用せずに、例えばワープ通路から導かれる遊技球を、複数の複雑な経路に振り分けることが可能となる。その結果、空間的な制約を受けることなく、遊技者の興趣を持続させる遊技球誘導装置を提供することができ、例えばパチンコ機などに適用するとその工業的価値は極めて大である。
【図面の簡単な説明】
【００６０】
【図１】本発明の遊技球誘導装置を備えたパチンコ機の概観説明図である。
【図２】本発明の遊技球誘導装置が一体に形成された前飾り部材の斜視図である。
【図３】図２の前飾り部材の上部斜視図である。
【図４】本発明の遊技球誘導装置における遊技球の経路を説明するための概念図である。
【図５】本発明の遊技球誘導装置における遊技球の経路を説明するための概念図である。
【図６】本発明の遊技球誘導装置における遊技球の経路を説明するための概念図である。
【符号の説明】
【００６１】
１  パチンコ機
２  遊技球
１８  遊技領域
３０  遊技球誘導装置
４０  ワープ通路
５０  飾り部材
３１０  第１の遊技球通路
３１２  カール部（落下手段）
３１４  遊技球受部材
３１５  第１の遊技球案内部
３２０  第２の遊技球通路
３２３  第２の遊技球案内部
３２５  連通開口部
３３０  遊技球揺動通路
３３１  第３の遊技球案内部
【図１】
2005152204.tif 000003
【図２】
2005152204.tif 000004
【図３】
2005152204.tif 000005
【図４】
2005152204.tif 000006
【図５】
2005152204.tif 000007
【図６】
2005152204.tif 000008